(57)【要約】【課題】  心筋梗塞が発症し易い気象条件になっていることを容易に認識することができる心筋梗塞警報機能付腕時計を提供することを課題とする。【解決手段】  心筋梗塞警報機能付腕時計１は、気温センサ７により検知された気温と、気圧センサ８により検知された気圧とが、予め決められた閾値に達した場合、発症可能程度に応じて注意表示器１０、又は警戒表示器９を発光させるとともに、警報音発生器１１により、それぞれの表示器の発光毎に異なる警報音を発生させるため、心筋梗塞警報機能付腕時計１を使用している人は、心筋梗塞が発症し易い気象条件になっていることを容易に認識することができる。【選択図】        図１
2005221438.tif 000002
【特許請求の範囲】
【請求項１】
気温を検知する気温センサと、大気圧を検知する気圧センサと、前記気温センサにより検知された気温と前記気圧センサにより検知された気圧が予め決められた閾値に達した場合に心筋梗塞の発症を予報するための心筋梗塞予報手段と、前記心筋梗塞予報手段により心筋梗塞の発症が予報された場合に心筋梗塞が発症し易い気象条件になっていることを警告するための警報手段とを備えたことを特徴とする心筋梗塞警報機能付腕時計。
【請求項２】
請求項１に記載の心筋梗塞警報機能付腕時計であって、前記気温と気圧の閾値を設定するための設定手段を備えたことを特徴とする心筋梗塞警報機能付腕時計。
【発明の詳細な説明】
【技術分野】
【０００１】
本発明は、心筋梗塞になり易い気象状態になった場合に、心筋梗塞の発症を予報する心筋梗塞警報機能付腕時計に関する。
【背景技術】
【０００２】
従来、心筋梗塞の発症は、気温や気圧などの気象条件と深い関係があることが明らかになっており、特に、寒い冬に心筋梗塞の発症が多発することが知られている。そこで、心筋梗塞の発症が予測される気象条件になった場合に、インターネットのホームページ（非特許文献１参照）で心筋梗塞予報が行なわれている。
しかしながら、心筋梗塞を発症する可能性の高いシニア世代は、インターネットを習熟している人が少ないため、その心筋梗塞予報が確実に周知されないという問題がある。
【非特許文献１】広島市医師会のホームページ  ｈｔｔｐ：／／ｗｗｗ．ｃｉｔｙ．ｈｉｒｏｓｈｉｍａ．ｍｅｄ．ｃｒ．ｊｐ
【発明の開示】
【発明が解決しようとする課題】
【０００３】
そこで本発明では、心筋梗塞が発症し易い気象条件になっていることを容易に認識することができる心筋梗塞警報機能付腕時計を提供することを解決すべき課題とするものである。
【課題を解決するための手段】
【０００４】
上記課題は、特許請求の範囲の欄に記載した心筋梗塞警報機能付腕時計により解決することができる。
請求項１に記載の心筋梗塞警報機能付腕時計によれば、気温センサにより検知された気温と、気圧センサにより検知された気圧とが、予め決められた閾値に達した場合に、心筋梗塞予報手段は心筋梗塞の発症を予報する。心筋梗塞予報手段が心筋梗塞の発症を予報すると、警報手段は、腕時計をしている人に心筋梗塞が発症しやすい気象条件になっていることを警告する。このように、当該腕時計を使用している人は、心筋梗塞が発症し易い気象条件になっていることを容易に認識することができる。
【０００５】
請求項２に記載の心筋梗塞警報機能付腕時計によれば、通常、気圧に高低差がある高地地域と低地地域、あるいは気温に高低差がある高緯度地域と低緯度地域などで当該心筋梗塞警報機能付腕時計を使用する場合、心筋梗塞の発症を予報するための気温と気圧の閾値を変える必要があるため、設定手段により、地域毎の気温と気圧の閾値を変えることができる。
【発明の効果】
【０００６】
本発明によれば、心筋梗塞が発症し易い気象条件になっていることを容易に認識することができる。
【発明を実施するための最良の形態】
【０００７】
次に、本発明の実施の形態について説明する。
図１は、心筋梗塞が発症し易い気象条件になっていることを容易に認識することができる心筋梗塞警報機能付腕時計１の外観図である。また、図２は、心筋梗塞警報機能付腕時計１の電子的な構成を示したブロック図である。
【０００８】
図１に示すように、心筋梗塞警報機能付腕時計１は、一般の腕時計のように時計本体２と腕時計バンド３を有している。心筋梗塞警報機能付腕時計１の時計本体２には、時刻合わせ用の竜頭４や、心筋梗塞警報機能付腕時計１が使用される地域に対応して心筋梗塞の発症を予報するための気温の閾値を変える気温設定ボタン５、及び気圧の閾値を変える気圧設定ボタン６が設けられている。また、時計本体２には、気温を検知する気温センサ７と、気圧を検知する気圧センサ８とが設けられている。更に、時計本体２には、心筋梗塞の発症の可能性が高い警戒気象条件になったときに赤色に発光するダイオードから成る警戒表示器９と、警戒気象条件より心筋梗塞の発症に注意が必要な注意警戒気象条件になったときに黄色に発光するダイオードから成る注意表示器１０と、警戒表示器９もしくは注意表示器１０が発光されているときに警報音を発する警報音発生器１１とが設けられている。
【０００９】
上記時計本体２の短針２ａは、時刻を指示する以外に、心筋梗塞警報機能付腕時計１が使用される地域に対応して心筋梗塞の発症を予報するための気温の閾値を設定するものである。この気温閾値を例えば１０℃以下に設定する場合、竜頭４を２段階、引き上げた状態で、気温設定ボタン５を押すと、短針２ａは時計方向に回るため、２時の目盛りを指示した時点で気温設定ボタン５の押しを停止する。
【００１０】
また、時計本体２の長針２ｂは、分を指示する以外に、心筋梗塞警報機能付腕時計１が使用される地域に対応して心筋梗塞の発症を予報するための気圧の閾値を設定するものである。この気圧閾値を例えば１００５ｈＰａ以下、及び１０１２ｈＰａ以上に設定する場合、竜頭４を２段階、引き上げた状態で、気圧設定ボタン６を押すと、長針２ｂは時計方向に回るため、５分の目盛りを指示した時点で気圧設定ボタン６の押しを停止する。気圧設定ボタン６の押しを２秒間以上、停止したあと、再び気圧設定ボタン６を押すと、長針２ｂは時計方向に回るため、１２分の目盛りを２回、指示した時点で気圧設定ボタン６の押しを停止する。これにより、気圧閾値は、１００５ｈＰａ以下及び１０１２ｈＰａ以上に設定される。尚、時刻合わせの場合は竜頭４を１段階、引き上げた状態で行ない、そのあと、竜頭４を押し下げると、通常の時計機能に戻る。
【００１１】
次に、心筋梗塞警報機能付腕時計１の電子的な構成について説明する。
図２に示すように、心筋梗塞警報機能付腕時計１の中枢部に心筋梗塞予報部２１が設けられている。この心筋梗塞予報部２１はマイクロコンピュータを備えており、このマイクロコンピュータの情報処理により心筋梗塞の発症予報を行なう。
【００１２】
心筋梗塞予報部２１の入力側には、前述の気温センサ７と気圧センサ８とが接続されている。また、前記気温設定ボタン５が押されたときに前記短針２ａを時計方向に回すための駆動信号を、図示していない長短針駆動用モータ制御回路に出力するとともに、短針２ａが指示している目盛りに対応した数値データを心筋梗塞予報部２１に出力する気温設定器２２と、前記気圧設定ボタン６が押されたときに前記長針２ｂを時計方向に回すための駆動信号を、図示していない長短針駆動用モータ制御回路に出力するとともに、長針２ｂが指示している目盛りに対応した数値データを心筋梗塞予報部２１に出力する気圧設定器２３とが心筋梗塞予報部２１の入力側に接続されている。
【００１３】
心筋梗塞予報部２１の出力側には、前述の警戒表示器９と、注意表示器１０と、警報音発生器１１とが接続されている。尚、この警報音発生器１１は電子音を発生するもので、警戒表示器９が発光されているときの警報音と、注意表示器１０が発光されているときの警報音とが識別できるようになっている。
尚、図２に示した電源部２４は、小型電池を電源として必要な電圧を出力するものである。
【００１４】
次に、心筋梗塞警報機能付腕時計１の作用を説明する。
前述の気温閾値が１０℃以下に設定されているとともに、気圧閾値が１００５ｈＰａ以下及び１０１２ｈＰａ以上に設定されている状態で、心筋梗塞警報機能付腕時計１のバンド３を、人の腕のリストに締めておく。この状態で、気温が１２℃、気圧が１０１０ｈＰａの気象状態であるとする。夕方になり、気温が低下し、１０℃以下になるとともに気圧が１０１２ｈＰａ以上に上昇すると、心筋梗塞予報部２１は、注意表示器１０を黄色に発光させるとともに警報音発生器１１から注意用の警報音を発生させて、心筋梗塞が発症し易い気象条件になっていることを認識させる。
【００１５】
また、気温が低下し、１０℃以下になるとともに、気圧が低下し、１００５ｈＰａ以下になると、心筋梗塞予報部２１は、警戒表示器９を赤色発光させるとともに警報音発生器１１から警報用の警報音を発生させて、心筋梗塞が極めて発症し易い気象条件になっていることを警告する。
【００１６】
以上のように、心筋梗塞警報機能付腕時計１を手首にしておくことによって、心筋梗塞の発症が起きやすい気象条件になっていることを認識することができる。
尚、気圧に高低差がある高地地域と低地地域、あるいは気温に高低差がある高緯度地域と低緯度地域などの平均気温、平均気圧に対応して、心筋梗塞の発症を予報するための気温と気圧の閾値を、前述の気温設定ボタン５と気圧設定ボタン６の操作により変える。
【図面の簡単な説明】
【００１７】
【図１】心筋梗塞警報機能付腕時計の正面外観図である。
【図２】心筋梗塞警報機能付腕時計の電子的な構成を示したブロック図である。
【符号の説明】
【００１８】
１    心筋梗塞警報機能付腕時計
２    時計本体
２ａ    短針
２ｂ    長針
３    腕時計バンド
４    竜頭
５    気温設定ボタン
６    気圧設定ボタン
７    気温センサ
８    気圧センサ
９    警戒表示器
１０    注意表示器
１１    警報音発生器
２１    心筋梗塞予報部
２２    気温設定器
２３    気圧設定器
２４    電源部
【図１】
2005221438.tif 000003
【図２】
2005221438.tif 000004